(57)【特許請求の範囲】
【請求項１】
液晶層を挟んで互いに対向して貼り合わされる一対の基板のうち、一方側の基板には反射電極が形成され、他方側の基板にはカラーフィルターが形成される液晶表示装置において、
前記他方側の基板における前記反射電極に対応する領域は、カラーフィルターが形成された領域とカラーフィルターが形成されていない領域とにより構成され、
１つの画素領域における前記カラーフィルターが形成されていない領域は、前記カラーフィルターが形成された領域を２つに分割する１つの帯状領域であり、前記一方側の基板と前記他方側の基板との貼り合わせずれが発生した際も、前記カラーフィルターが形成されていない領域の面積が一定となるように前記カラーフィルターが形成されることを特徴とする液晶表示装置。
【発明の詳細な説明】
【０００１】
【発明の属する技術分野】
本発明は、ワードプロセッサやパーソナルコンピューターなどのＯＡ機器や、電子手帳などの携帯情報機器、あるいは液晶モニターを備えたカメラ一体型ＶＴＲなどに用いられる液晶表示装置に関する。
【０００２】
【従来の技術】
近年、液晶表示装置は、薄型で低消費電力であるという特徴を生かして、ワードプロセッサやパーソナルコンピューターなどのＯＡ機器や、電子手帳などの携帯情報機器、あるいは液晶モニターを備えたカメラ一体型ＶＴＲなどに広く用いられている。
【０００３】
このような液晶表示装置には、画素電極にＩＴＯ（Ｉｎｄｉｕｍ  Ｔｉｎ  Ｏｘｉｄｅ）などの透明導電性薄膜を用いた透過型の液晶表示装置と、画素電極に金属などの反射電極を用いた反射型の液晶表示装置とがある。
【０００４】
本来、液晶表示装置はＣＲＴ（ブラウン管）やＥＬ（エレクトロルミネッセンス）などとは異なり、自ら発光する自発光型の表示装置ではないため、透過型の液晶表示装置の場合には、液晶表示装置の背後に蛍光管などの照明装置、所謂バックライトを配置して、そこから入射される光によって表示を行っている。また、反射型の液晶表示装置の場合には、外部からの入射光を反射電極によって反射させることによって表示を行っている。
【０００５】
ここで、透過型の液晶表示装置の場合は、上述のようにバックライトを用いて表示を行うために、周囲の明るさにさほど影響されることなく、明るくて高コントラストを有する表示を行うことができるという利点を有しているものの、通常バックライトは液晶表示装置の全消費電力のうち５０％以上を消費することから、消費電力が大きくなってしまうという問題も有している。
【０００６】
また、反射型の液晶表示装置の場合は、上述のようにバックライトを使用しないために、消費電力を極めて小さくすることができるという利点を有しているものの、周囲の明るさなどの使用環境あるいは使用条件によって表示の明るさやコントラストが左右されてしまうという問題も有している。
【０００７】
このように、反射型の液晶表示装置においては、周囲の明るさなどの使用環境、特に外光が暗い場合には視認性が極端に低下するという欠点を有しており、また、一方の透過型の液晶表示装置においても、これとは逆に外光が非常に明るい場合、例えば晴天下などでの視認性が低下してしまうというような問題を有していた。
【０００８】
本発明者らは、こうした問題点を解決するための手段として、反射型と透過型との両方の機能を合わせ持った液晶表示装置を特許出願により提案している。（特願平９−２０１１７６号）
この特許出願により提案した液晶表示装置は、１つの表示画素に外光を反射する反射部とバックライトからの光を透過する透過部とを作り込むことにより、周囲が真っ暗の場合には、バックライトからの透過部を透過する光を利用して表示を行なう透過型液晶表示装置として、また、外光が暗い場合には、バックライトからの透過部を透過する光と光反射率の比較的高い膜により形成した反射部により反射する光との両方を利用して表示を行う両用型液晶表示装置として、さらに、外光が明るい場合には、光反射率の比較的高い膜により形成した反射部により反射する光を利用して表示を行う反射型液晶表示装置として用いることができるというような構成の透過反射両用型の液晶表示装置である。
【０００９】
【発明が解決しようとする課題】
このような構成の液晶表示装置は、外光の明るさに関わらず、常に視認性が優れた液晶表示装置の提供を可能にしたものであるが、透過型と反射型との両方で明るく色純度の高いカラー表示を実現するためには、以下のような様々な問題を有している。
【００１０】
例えば、上述した透過反射両用型の液晶表示装置に、従来から用いられてきた一般的なカラーフィルターを配置した場合、透過部に対応するカラーフィルターではバックライトからの光が透過するのが１回であるのに対し、反射部に対応するカラーフィルターでは外光が入射する際と出射する際との２回透過することから、透過型と反射型との両方で明るく色純度の高いカラー表示を実現することは非常に困難となっていた。
【００１１】
これは、通常の透過型の液晶表示装置におけるカラーフィルターの透過率は、視感度補正後で約３２％であるため、これをそのまま反射型の液晶表示装置におけるカラーフィルターとして用いると、透過率は約１１％となってしまい、非常に暗いディスプレイになってしまうからである。
【００１２】
なお、特開平８−２８６１７８号公報には、明るく色純度の高いカラー表示を実現する液晶表示装置として、１画素内においてカラーフィルターの着色部分を島状に分割し、その周囲に開口部分（着色の無い部分）を形成するような構成が開示されている。
【００１３】
しかしながら、この公報にも、透過型液晶表示装置または反射型液晶表示装置におけるカラーフィルターの構成が開示されているだけであり、１つの表示画素に外光を反射する反射部とバックライトからの光を透過する透過部とを作り込んだ液晶表示装置における最適なカラーフィルターの構成、つまり着色部分や開口部分の特徴や配置関係などについては一切開示されておらず、この公報に開示されたカラーフィルター形成技術をそのまま１つの表示画素に反射部と透過部とを作り込んだ液晶表示装置に適用しても、色純度の悪い淡い表示となってしまい、透過部と反射部との両方で明るく色純度の高いカラー表示を可能とするカラーフィルターを実現することは非常に困難である。
【００１４】
本発明は、上述したような反射型または透過反射両用型の液晶表示装置におけるカラーフィルターの形成に関する問題点に鑑みなされたものであって、その目的とするところは、反射型または透過反射両用型の液晶表示装置におけるカラーフィルターを従来の液晶表示装置におけるカラーフィルターと比べてプロセスを増加させることなく形成し、画素電極領域とカラーフィルター領域との貼り合わせずれが発生した場合であっても、色純度が高く明るいカラー表示を実現した液晶表示装置を提供することを目的とするものである。
【００１５】
【課題を解決するための手段】
本発明の液晶表示装置は、液晶層を挟んで互いに対向して貼り合わされる一対の基板のうち、一方側の基板には反射電極が形成され、他方側の基板にはカラーフィルターが形成される液晶表示装置において、前記他方側の基板における前記反射電極に対応する領域は、カラーフィルターが形成された領域とカラーフィルターが形成されていない領域とにより構成され、１つの画素領域における前記カラーフィルターが形成されていない領域は、前記カラーフィルターが形成された領域を２つに分割する１つの帯状領域であり、前記一方側の基板と前記他方側の基板との貼り合わせずれが発生した際も、前記カラーフィルターが形成されていない領域の面積が一定となるように前記カラーフィルターが形成されることを特徴としている。
【００１６】
以下、本発明の作用について簡単に説明する。
【００１７】
本発明によれば、画素領域とカラーフィルター形成領域との貼り合わせずれが発生した際も、カラーフィルターが形成されていない領域の面積が一定となることにより、カラーフィルター作成時におけるカラーフィルターエッジ部の仕上がりのばらつきやパネル作成時における基板の貼り合わせずれが発生した際でも、液晶表示装置の明るさや色調などの光学特性のばらつきを最小限にすることが可能となっている。
【００１８】
なお、外光を反射する反射部と背面光源からの光を透過する透過部とを１画素内に構成する画素電極が形成された液晶表示装置においては、前記他方側の基板上における前記透過部に対応する領域をカラーフィルターが形成された領域により構成することで、色純度の高い表示を行うことが可能となる。
【００１９】
また、前記カラーフィルターが形成された領域と前記カラーフィルターが形成されていない領域との境界に、カラーフィルターエッジ部の仕上がりのばらつきよりも広い線幅のブラックマスクを形成することで、カラーフィルターエッジ部における仕上がりにばらつきが生じた際でも、色純度やコントラストなどの表示特性のばらつきを最小限にすることが可能となる。
【００２０】
【発明の実施の形態】
以下、本発明の実施の形態について、比較例を交えて、その特徴について図面を用いて説明する。
【００２１】
（比較例１）
本発明の実施の形態の説明を容易にするため、まず本発明の比較例１における液晶表示装置について図面を用いて説明する。図１（ａ）は、本発明の比較例１における反射型液晶表示装置の画素電極部分を示した拡大平面図であり、図１（ｂ）は、図１（ａ）におけるＡ−Ａ´線の断面を示した拡大断面図である。
【００２２】
また、併せて従来の反射型液晶表示装置の画素電極部分を示した拡大平面図を図２（ａ）に示し、また、図２（ａ）におけるＡ−Ａ´線の断面を示した拡大断面図を図２（ｂ）に示す。
【００２３】
なお、図１および図２においては、カラーフィルター１１Ａ、１１Ｂ、１１Ｃと画素電極である反射電極３以外の構成については省略している。また、反射電極３の形状については、図示するような長方形でなくても構わない。
【００２４】
まず、従来の反射型液晶表示装置について図２を用いて説明する。図２（ａ）および図２（ｂ）に示すように、下側基板１上には反射電極３が所定の形状に形成されており、それに対向するカラーフィルター基板２上にはカラーフィルター１１Ａ、１１Ｂ、１１Ｃおよび透明電極４がそれぞれ形成されている。この下側基板１およびカラーフィルター基板２上に形成された反射電極３および透明電極４との間には液晶層５が挟持されている。
【００２５】
一般に、液晶表示装置においては、様々な色を表示するために、赤（Ｒ）、緑（Ｇ）、青（Ｂ）の３色のカラーフィルターを１枚の基板上に並置し、これらを透過する光量を液晶層５に印加する電圧を制御することにより混色する方法が用いられている（加法混色法）。
【００２６】
しかしながら、通常、透過型の液晶表示装置に用いられるカラーフィルターは、Ｒ、Ｇ、Ｂの３色を均等に混色すると、白色（Ｗ）が得られて約３２％の透過率を得ることが可能であるが、この透過型の液晶表示装置に用いられるカラーフィルターをそのまま反射型もしくは透過反射両用型の液晶表示装置に用いると、反射領域での表示は、光がカラーフィルターを２回通過するため、同じ白色表示で約１１％の明るさしか得られないことが分かっている。
【００２７】
ここで、反射型もしくは透過反射両用型の液晶表示装置における反射領域での表示において、白色表示の明るさを向上するためには、透過型の液晶表示装置に用いられるカラーフィルターに比べて、カラーフィルターの膜厚もしくは樹脂に分散させる顔料の量を少なくしたり、全く新しい顔料を用いたりするなどの方法が知られているが、これらの方法は、透過型の液晶表示装置と同じカラーフィルターを使うことができないため、コストアップの大きな要因となってしまっていた。
【００２８】
また、透過反射両用型の液晶表示装置に上述したようなカラーフィルターを用いた場合には、透過型の液晶表示装置に用いられるカラーフィルターを用いるのに比べて、反射領域では白色表示の明るさが向上するものの、透過領域では色純度が著しく低下してしまうという問題も有していた。
【００２９】
ここで、本発明の比較例１について図１を用いて説明する。図１（ａ）および図１（ｂ）に示すように、下側基板１上には反射電極３が所定の形状に形成されており、それに対向するカラーフィルター基板２上にはカラーフィルター１１Ａ、１１Ｂ、１１Ｃおよび透明電極４がそれぞれ形成されている。この下側基板１およびカラーフィルター基板２上に形成された反射電極３および透明電極４との間には液晶層５が挟持されている。
【００３０】
この比較例１は、図１（ａ）に示すように、上述したような従来のカラーフィルターの材料や膜厚などを調節する方法に替わって、カラーフィルター基板２上の反射電極３に対応する領域に、色純度の高い透過型液晶表示装置用のカラーフィルターを形成するとともに、カラーフィルターを形成しない領域（Ｂ）を設けていることを特徴としている。そして、このカラーフィルターが形成されていない領域（Ｂ）により白を表示させ、色純度の高いカラーフィルターと混色することにより、反射型の液晶表示装置や透過反射両用型の液晶表示装置における反射領域に必要な明るい表示を実現することが可能となっている。
【００３１】
なお、ここでは画素電極３を全て反射領域とした反射型の液晶表示装置を比較例１として説明したが、例えば図３に示すような画素電極の一部に透過領域８と反射領域３とを有するような透過反射両用型の液晶表示装置の場合についても同様である。
【００３２】
（実施の形態１）
ここで、本発明の本実施の形態１における液晶表示装置について図面を用いて説明する。図５（ａ）〜（ｄ）は、本実施の形態１における液晶表示装置の画素電極部分を示した拡大平面図である。
【００３３】
なお、本実施の形態１における液晶表示装置は、図示していないが、下側基板１上に反射電極３が所定の形状に形成されており、それに対向するカラーフィルター基板２上にカラーフィルター１１および透明電極４が形成されている。この下側基板１およびカラーフィルター基板２上に形成された反射電極３および透明電極４との間には液晶層５が挟持されている。
【００３４】
本実施の形態１では、図５（ａ）に示すように、カラーフィルター基板２上の反射電極３に対応する領域に、色純度の高い透過型液晶表示装置用のカラーフィルターを形成するとともに、カラーフィルターを形成しない領域（Ｃ１）、（Ｃ２）を設けている。そして、このカラーフィルターが形成されていない領域（Ｃ１）、（Ｃ２）により白を表示させ、色純度の高いカラーフィルターと混色することにより、反射型の液晶表示装置や透過反射両用型の液晶表示装置における反射領域に必要な明るい表示を実現することが可能となっている。
【００３５】
このような図５（ａ）に示す構成は、設計通りの精度で下側基板１とカラーフィルター基板２とが貼り合わされた場合を示しており、このときの反射型液晶表示装置のカラーフィルター基板２上のカラーフィルター１１とそれに対向する基板１上の反射電極３とを表したものである。
【００３６】
これに対して、図５（ｂ）は、下側基板１に対して矢印方向にカラーフィルター基板２がずれて貼り合わされた場合を示しており、このときの反射型液晶表示装置のカラーフィルター基板２上のカラーフィルター１１とそれに対向する基板１上の反射電極３とを表したものである。
【００３７】
ここで、本実施の形態１における液晶表示装置の製造工程においては、下側基板１とカラーフィルター基板２とを貼り合わせる際に、図５（ｂ）に示すように、下側基板１に対して矢印方向にカラーフィルター基板２がずれて貼り合わされても、カラーフィルター１１が形成されていない領域（Ｃ１´）、（Ｃ２´）の合計面積Ｓ（Ｃ´）は、図５（ａ）に示すような設計通りの精度で下側基板１とカラーフィルター基板２とが貼り合わされた場合のカラーフィルター１１が形成されていない領域（Ｃ１）、（Ｃ２）の合計面積Ｓ（Ｃ）と比べて、
Ｓ（Ｃ´）＝（Ｃ１´）＋（Ｃ２´）
Ｓ（Ｃ）＝（Ｃ１）＋（Ｃ２）
Ｓ（Ｃ´）＝Ｓ（Ｃ）
となり、液晶表示装置の色度や明るさの変化は起こらない。
【００３８】
このように、本実施の形態１では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【００３９】
ただし、図５（ｃ）に示すように、下側基板１とカラーフィルター基板２とを貼り合わせる際の貼り合わせずれが大きく、図５（ａ）に示すカラーフィルター１１が形成されていない領域のＣ２が存在しなくなってしまうと、カラーフィルター１１が形成されていない領域（Ｃ１´´）の面積Ｓ（Ｃ´´）は、
Ｓ（Ｃ´´）＝（Ｃ１´´）
Ｓ（Ｃ´´）＞Ｓ（Ｃ）
となり、液晶表示装置の色度や明るさが変化してしまうことになる。
【００４０】
そこで、本実施の形態１においては、液晶表示装置の生産における液晶工程の基板貼り合わせ精度を考慮して、図５（ｃ）に示すような状態が発生しないようなパターンを決定しておくことが望ましい。
【００４１】
なお、本実施の形態１では、図５（ｄ）に示すように、画素電極の一部に透過領域８と反射領域３とを有する透過反射両用型の液晶表示装置の場合についても同様の効果を得ることが可能である。
【００４２】
ただし、透過反射両用型の液晶表示装置の場合については、下側基板１とカラーフィルター基板２とを貼り合わせる際の貼り合わせずれが発生した際に、カラーフィルター基板２上のカラーフィルター１１が形成されていない領域が画素電極の透過領域８と重なってしまうと、透過領域８の色度や明るさが変化してしまうため、このような場合も、液晶表示装置の生産における液晶工程の基板貼り合わせ精度を考慮して、カラーフィルター１１が形成されていない領域が画素電極の透過領域８と重なることがないようなパターンを決定することが望ましい。
【００４３】
ここで、上述の比較例１に示したようなカラーフィルターのパターンを有する液晶表示装置において下側基板１とカラーフィルター基板２とを貼り合わせる際の貼り合わせずれが発生した場合について、以下に簡単に説明する。
【００４４】
図４（ａ）は、設計通りの精度で下側基板１とカラーフィルター基板２とが貼り合わされた状態の反射型液晶表示装置のカラーフィルター１１と反射電極３とを表したものである。また、図４（ｂ）は、下側基板１に対して矢印方向にカラーフィルター基板２がずれて貼り合わされた状態の反射型液晶表示装置のカラーフィルター１１と反射電極３とを表したものである。
【００４５】
ここで、上述の比較例１における液晶表示装置の製造工程においては、下側基板１とカラーフィルター基板２とを貼り合わせる際に、図４（ｂ）に示すように、下側基板１に対して矢印方向にカラーフィルター基板２がずれて貼り合わされると、カラーフィルター１１が形成されていない領域Ｓ（Ｂ´）の面積は、図４（ｂ）に示すような設計通りの精度で下側基板１とカラーフィルター基板２とが貼り合わされた場合のカラーフィルター１１が形成されていない領域Ｓ（Ｂ）の面積と比べて、
Ｓ（Ｂ´）＜Ｓ（Ｂ）
となり、よって、上述の比較例１における液晶表示装置では、基板の貼り合わせずれが発生してしまうと、液晶表示装置の色度や明るさが変化してしまうことになる。
【００４６】
（比較例２）
次に、本発明の比較例２における液晶表示装置について図面を用いて説明する。図６（ａ）は、本発明の比較例２における透過反射両用型の液晶表示装置の画素電極部分を示した拡大平面図である。
【００４７】
この比較例２は、図６（ａ）に示すように、カラーフィルター基板２上の画素電極３に対応する領域に、色純度の高い透過型液晶表示装置用のカラーフィルター１１を形成するとともに、カラーフィルター１１を形成しない領域（Ｄ１）、（Ｄ２）を設けていることを特徴としている。そして、このカラーフィルター１１が形成されていない領域（Ｄ１）、（Ｄ２）により白を表示させ、色純度の高いカラーフィルター１１と混色することにより、透過反射両用型の液晶表示装置における反射領域に必要な明るい表示を実現することが可能となっている。
【００４８】
このような図６（ａ）に示す構成は、設計通りの精度で下側基板１とカラーフィルター基板２とが貼り合わされた場合を示しており、このときの透過反射両用型の液晶表示装置におけるカラーフィルター基板２上のカラーフィルター１１とそれに対向する基板１上の反射領域３および透過領域８を表したものである。
【００４９】
これに対して、図６（ｂ）は、下側基板１に対して矢印方向にカラーフィルター基板２がずれて貼り合わされた場合を示しており、このときの透過反射両用型の液晶表示装置におけるカラーフィルター基板２上のカラーフィルター１１とそれに対向する基板１上の反射領域３および透過領域８を表したものである。
【００５０】
ここで、この比較例２における液晶表示装置の製造工程においては、下側基板１とカラーフィルター基板２とを貼り合わせる際に、図６（ｂ）に示すように、下側基板１に対して矢印方向にカラーフィルター基板２がずれて貼り合わされると、カラーフィルター１１が形成されていない反射領域（Ｄ１´）、（Ｄ２´）の合計面積Ｓ（Ｄ´）は、図６（ａ）に示すような設計通りの精度で下側基板１とカラーフィルター基板２とが貼り合わされた場合のカラーフィルター１１が形成されていない領域（Ｄ１）、（Ｄ２）の合計面積Ｓ（Ｄ）と比べて、
Ｓ（Ｄ´）＝（Ｄ１´）＋（Ｄ２´）−（Ｄ３´）
Ｓ（Ｄ）＝（Ｄ１）＋（Ｄ２）
Ｓ（Ｄ´）＜Ｓ（Ｄ）
となり、よって、上述の比較例２における液晶表示装置では、基板の貼り合わせずれが発生してしまうと、液晶表示装置の色度や明るさが変化してしまうことになる。
【００５１】
これは、この比較例２における液晶表示装置が画素電極の一部に透過領域８と反射領域３とを有する透過反射両用型の液晶表示装置であり、図６（ｂ）に示すように、カラーフィルター１１のエッジ部分を貼り合わせ精度内で透過領域８のエッジ部分近傍に設定してしまうと、このような問題が発生してしまう。
【００５２】
このように、透過反射両用型の液晶表示装置の場合については、下側基板１とカラーフィルター基板２とを貼り合わせる際の貼り合わせずれが発生した際に、カラーフィルター基板２上のカラーフィルター１１が形成されていない領域が画素電極の透過領域８と重なってしまうと、透過領域８の色度や明るさが変化してしまうため、液晶表示装置の生産における液晶工程の基板貼り合わせ精度を十分に考慮して、カラーフィルター１１が形成されていない領域が画素電極の透過領域８と重なることがないようなカラーフィルター１１のパターンを決定することが望ましい。
【００５３】
（実施の形態２）
次に、本発明の本実施の形態２における液晶表示装置について図面を用いて説明する。図７（ａ）（ｂ）は、本実施の形態２における液晶表示装置の画素電極部分を示した拡大平面図である。
【００５４】
本実施の形態２では、図７（ａ）に示すように、カラーフィルター基板２上の画素電極３に対応する領域に、色純度の高い透過型液晶表示装置用のカラーフィルターを形成するとともに、カラーフィルターを形成しない領域（Ｅ１）、（Ｅ２）を設けている。そして、このカラーフィルターが形成されていない領域（Ｅ１）、（Ｅ２）により白を表示させ、色純度の高いカラーフィルターと混色することにより、透過反射両用型の液晶表示装置における反射領域に必要な明るい表示を実現することが可能となっている。
【００５５】
このような図７（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【００５６】
これに対して、図７（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【００５７】
ここで、本実施の形態２における液晶表示装置の製造工程においては、下側基板１とカラーフィルター基板２とを貼り合わせる際に、図７（ｂ）に示すように、下側基板１に対して矢印方向にカラーフィルター基板２がずれて貼り合わされても、カラーフィルター１１が形成されていない領域（Ｅ１´）、（Ｅ２´）の合計面積Ｓ（Ｅ´）は、図７（ａ）に示すような設計通りの精度で下側基板１とカラーフィルター基板２とが貼り合わされた場合のカラーフィルター１１が形成されていない領域（Ｅ１）、（Ｅ２）の合計面積Ｓ（Ｃ）と比べて、
Ｓ（Ｅ´）＝（Ｅ１´）＋（Ｅ２´）
Ｓ（Ｅ）＝（Ｅ１）＋（Ｅ２）
Ｓ（Ｅ´）＝Ｓ（Ｅ）
となり、液晶表示装置の色度や明るさの変化は起こらない。
【００５８】
このように、本実施の形態２では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【００５９】
この点に関し、本実施の形態２では、透過反射両用型の液晶表示装置の場合において下側基板１とカラーフィルター基板２との貼り合わせずれが発生した際に、液晶表示装置の生産における液晶工程の基板貼り合わせ精度を十分に考慮して、カラーフィルター１１が形成されていない領域が画素電極の透過領域８と重なることがないようにカラーフィルター１１のパターン形状を決定（カラーフィルター１１のエッジ部と透過領域８のエッジ部との間隔を貼り合わせ精度よりも大きくして配置）しているため、上述の比較例２における液晶表示装置のように、基板の貼り合わせずれに起因する液晶表示装置の色度や明るさの変化を抑制することが可能となっている。
【００６０】
（実施の形態３）
次に、本発明の本実施の形態３における液晶表示装置について同様に図面を用いて説明する。図８（ａ）（ｂ）は、本実施の形態３における液晶表示装置の画素電極部分を示した拡大平面図である。
【００６１】
本実施の形態３では、図８（ａ）に示すように、カラーフィルター基板２上の画素電極３に対応する領域に、色純度の高い透過型液晶表示装置用のカラーフィルターを形成するとともに、カラーフィルターを形成しない領域（Ｆ）を設けている。そして、このカラーフィルターが形成されていない領域（Ｆ）により白を表示させ、色純度の高いカラーフィルターと混色することにより、透過反射両用型の液晶表示装置における反射領域に必要な明るい表示を実現することが可能となっている。
【００６２】
このような図８（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【００６３】
これに対して、図８（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【００６４】
ここで、本実施の形態３における液晶表示装置の製造工程においては、下側基板１とカラーフィルター基板２とを貼り合わせる際に、図８（ｂ）に示すように、下側基板１に対して矢印方向にカラーフィルター基板２がずれて貼り合わされても、カラーフィルター１１が形成されていない領域Ｓ（Ｆ´）の面積は、図８（ａ）に示すような設計通りの精度で下側基板１とカラーフィルター基板２とが貼り合わされた場合のカラーフィルター１１が形成されていない領域Ｓ（Ｆ）の面積と比べて、
Ｓ（Ｆ´）＝Ｓ（Ｆ）
となり、液晶表示装置の色度や明るさの変化は起こらない。
【００６５】
このように、本実施の形態３では、カラーフィルターが形成されていない領域を有するとともに、それらの面積が貼り合わせずれが発生しても、合計として変化しないようなパターン形状でカラーフィルターが形成（カラーフィルター１１のエッジ部と透過領域８のエッジ部との間隔を貼り合わせ精度よりも大きくして配置）されているため、色度や明るさの変化が発生しない液晶表示装置を実現することが可能となっている。
【００６６】
（実施の形態４）
次に、本発明の本実施の形態４における液晶表示装置について同様に図面を用いて説明する。図９（ａ）（ｂ）は、本実施の形態４における液晶表示装置の画素電極部分を示した拡大平面図である。
【００６７】
本実施の形態４では、図９（ａ）に示すように、カラーフィルター基板２上の画素電極３に対応する領域に、色純度の高い透過型液晶表示装置用のカラーフィルターを形成するとともに、カラーフィルターを形成しない領域（Ｇ）を設けている。そして、このカラーフィルターが形成されていない領域（Ｇ）により白を表示させ、色純度の高いカラーフィルターと混色することにより、透過反射両用型の液晶表示装置における反射領域に必要な明るい表示を実現することが可能となっている。
【００６８】
このような図９（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【００６９】
これに対して、図９（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【００７０】
ここで、本実施の形態４における液晶表示装置の製造工程においては、下側基板１とカラーフィルター基板２とを貼り合わせる際に、図９（ｂ）に示すように、下側基板１に対して矢印方向にカラーフィルター基板２がずれて貼り合わされても、カラーフィルター１１が形成されていない領域Ｓ（Ｇ´）の面積は、図９（ａ）に示すような設計通りの精度で下側基板１とカラーフィルター基板２とが貼り合わされた場合のカラーフィルター１１が形成されていない領域Ｓ（Ｇ）の面積と比べて、
Ｓ（Ｇ´）＝Ｓ（Ｇ）
となり、液晶表示装置の色度や明るさの変化は起こらない。
【００７１】
このように、本実施の形態４では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【００７２】
（実施の形態５）
次に、本発明の本実施の形態５における液晶表示装置について同様に図面を用いて説明する。図１０（ａ）（ｂ）は、本実施の形態５における液晶表示装置の画素電極部分を示した拡大平面図であり、図１０（ｃ）は、本実施の形態５における液晶表示装置のカラーフィルター全体のパターンを示した平面図である。
【００７３】
本実施の形態５では、図１０（ａ）に示すように、カラーフィルター基板２上の画素電極３に対応する領域に、色純度の高い透過型液晶表示装置用のカラーフィルターを形成するとともに、カラーフィルターを形成しない領域（Ｈ）を設けている。そして、このカラーフィルターが形成されていない領域（Ｈ）により白を表示させ、色純度の高いカラーフィルターと混色することにより、透過反射両用型の液晶表示装置における反射領域に必要な明るい表示を実現することが可能となっている。
【００７４】
なお、この本実施の形態５における液晶表示装置では、図１０（ｃ）に示すように、図１０（ａ）に示したようなカラーフィルター１１をデルタ状にＲ、Ｇ、Ｂ、３色配列してカラー表示を行っている。
【００７５】
このような図１０（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【００７６】
これに対して、図１０（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【００７７】
ここで、本実施の形態５における液晶表示装置の製造工程においては、下側基板１とカラーフィルター基板２とを貼り合わせる際に、図１０（ｂ）に示すように、下側基板１に対して矢印方向にカラーフィルター基板２がずれて貼り合わされても、カラーフィルター１１が形成されていない領域Ｓ（Ｈ´）の面積は、図１０（ａ）に示すような設計通りの精度で下側基板１とカラーフィルター基板２とが貼り合わされた場合のカラーフィルター１１が形成されていない領域Ｓ（Ｈ）の面積と比べて、
Ｓ（Ｈ´）＝Ｓ（Ｈ）
となり、液晶表示装置の色度や明るさの変化は起こらない。
【００７８】
このように、本実施の形態５では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【００７９】
（実施の形態６）
次に、本発明の本実施の形態６における液晶表示装置について同様に図面を用いて説明する。図１１（ａ）（ｂ）は、本実施の形態６における液晶表示装置の画素電極部分を示した拡大平面図である。
【００８０】
本実施の形態６では、図１１（ａ）に示すように、カラーフィルター基板２上の画素電極３に対応する領域に、色純度の高い透過型液晶表示装置用のカラーフィルターを形成するとともに、カラーフィルターを形成しない領域（Ｉ）を設けている。そして、このカラーフィルターが形成されていない領域（Ｉ）により白を表示させ、色純度の高いカラーフィルターと混色することにより、透過反射両用型の液晶表示装置における反射領域に必要な明るい表示を実現することが可能となっている。
【００８１】
このような図１１（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【００８２】
これに対して、図１１（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【００８３】
ここで、本実施の形態６における液晶表示装置の製造工程においては、下側基板１とカラーフィルター基板２とを貼り合わせる際に、図１１（ｂ）に示すように、下側基板１に対して矢印方向にカラーフィルター基板２がずれて貼り合わされても、カラーフィルター１１が形成されていない領域Ｓ（Ｉ´）の面積は、図１１（ａ）に示すような設計通りの精度で下側基板１とカラーフィルター基板２とが貼り合わされた場合のカラーフィルター１１が形成されていない領域Ｓ（Ｉ）の面積と比べて、
Ｓ（Ｉ´）＝Ｓ（Ｉ）
となり、液晶表示装置の色度や明るさの変化は起こらない。
【００８４】
このように、本実施の形態６では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【００８５】
次に、図９（ａ）、図１０（ａ）、図１１（ａ）を例に挙げて、カラーフィルターエッジ部における仕上がりのばらつきによる光学特性への影響について簡単に説明する。
【００８６】
まず、図１１（ａ）では、カラーフィルター１１が形成された領域とカラーフィルター１１が形成されていない領域との境界線（以下、境界線という。）が、全て反射部に対応する領域に存在している。これに対して図９（ａ）では、境界線の一部が、反射部に対応する領域からはみ出しているため、反射部に対応する領域に存在している境界線は、図１１（ａ）より短くなっている。また、図１０（ａ）では、境界線のより多くの部分が、反射部に対応する領域からはみ出しているため、反射部に対応する領域に存在している境界線は、図９よりさらに短くなっている。
【００８７】
ここで、カラーフィルターエッジ部における仕上がりにばらつきが生じた場合には、反射部に対応する領域に存在している境界線の部分が光学特性に影響を及ぼしてしまう。したがって、例えば、図９（ａ）、図１０（ａ）に示すように、境界線の一部が反射部に対応する領域からはみ出しているような構成とすることにより、反射部に対応する領域に存在している境界線の長さが短くなり、カラーフィルターエッジ部における仕上がりのばらつきの影響を受け難くすることが可能となっている。
【００８８】
あるいは、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
【００８９】
（実施の形態７）
次に、本発明の本実施の形態７における液晶表示装置について同様に図面を用いて説明する。図１２（ａ）（ｂ）は、本実施の形態７における液晶表示装置の画素電極部分を示した拡大平面図である。
【００９０】
本実施の形態７では、図１２（ａ）に示すように、カラーフィルター基板２上の画素電極３に対応する領域に、色純度の高い透過型液晶表示装置用のカラーフィルターを形成するとともに、カラーフィルターを形成しない領域（Ｊ１）、（Ｊ２）を設けている。そして、このカラーフィルターが形成されていない領域（Ｊ１）、（Ｊ２）により白を表示させ、色純度の高いカラーフィルターと混色することにより、反射型の液晶表示装置における反射領域に必要な明るい表示を実現することが可能となっている。
【００９１】
このような図１２（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【００９２】
これに対して、図１２（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【００９３】
ここで、本実施の形態７における液晶表示装置の製造工程においては、下側基板１とカラーフィルター基板２とを貼り合わせる際に、図１２（ｂ）に示すように、下側基板１に対して矢印方向にカラーフィルター基板２がずれて貼り合わされると、カラーフィルター１１が形成されていない領域（Ｊ１´）、（Ｊ２´）の合計面積Ｓ（Ｊ´）は、図１２（ａ）に示すような設計通りの精度で下側基板１とカラーフィルター基板２とが貼り合わされた場合のカラーフィルター１１が形成されていない領域（Ｊ１）、（Ｊ２）の合計面積Ｓ（Ｊ）と比べて、
Ｓ（Ｊ´）＝（Ｊ１´）＋（Ｊ２´）
Ｓ（Ｊ）＝（Ｊ１）＋（Ｊ２）
Ｓ（Ｊ´）＜Ｓ（Ｊ）
となってしまう。
【００９４】
しかしながら、このような本実施の形態７は、カラーフィルターが形成されていない領域を有するとともに、それらの面積が貼り合わせずれが発生すると、合計として変化してしまうようなパターン形状でカラーフィルターが形成されているものの、同じ面積をもつカラーフィルターが形成されていない領域を一カ所だけに形成した比較例１と比べると、この面積の変化量は極僅かであり、色度や明るさの変化が発生しない程度のものとなっている。
【００９５】
次に、図１２（ａ）、図１３（ａ）を例に挙げて、カラーフィルターエッジ部における仕上がりのばらつきによる光学特性への影響について簡単に説明する。
【００９６】
まず、図１２（ａ）、図１３（ｂ）では、反射部に対応するカラーフィルター１１が形成されていない領域の面積が同じである場合には、反射部に対応する境界線は、図１２（ａ）の方が図１３（ａ）よりも短くなっている。したがって、図１２（ａ）では、カラーフィルターエッジ部における仕上がりのばらつきの影響をより受け難くすることが可能となっている。
【００９７】
なお、カラーフィルター１１に用いるカラーフィルター層の種類によっては、貼り合わせ精度よりも、カラーフィルターエッジ部における仕上がりのばらつきの影響の方が大きい場合があり、そのような場合には、特に図１３（ａ）よりも図１２（ａ）に示すようなパターンの方が好ましい。
【００９８】
そして、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
【００９９】
（実施の形態８）
次に、本発明の本実施の形態６における液晶表示装置について同様に図面を用いて説明する。図１３（ａ）（ｂ）は、本実施の形態８における液晶表示装置の画素電極部分を示した拡大平面図である。
【０１００】
本実施の形態８では、図１３（ａ）に示すように、カラーフィルター基板２上の画素電極３に対応する領域に、色純度の高い透過型液晶表示装置用のカラーフィルターを形成するとともに、カラーフィルターを形成しない領域（Ｋ１）、（Ｋ２）、（Ｋ３）、（Ｋ４）を設けている。そして、このカラーフィルターが形成されていない領域（Ｋ１）、（Ｋ２）、（Ｋ３）、（Ｋ４）により白を表示させ、色純度の高いカラーフィルターと混色することにより、反射型の液晶表示装置における反射領域に必要な明るい表示を実現することが可能となっている。
【０１０１】
このような図１３（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【０１０２】
これに対して、図１３（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【０１０３】
ここで、本実施の形態８における液晶表示装置の製造工程においては、下側基板１とカラーフィルター基板２とを貼り合わせる際に、図１３（ｂ）に示すように、下側基板１に対して矢印方向にカラーフィルター基板２がずれて貼り合わされても、カラーフィルター１１が形成されていない領域（Ｋ１´）、（Ｋ２´）、（Ｋ３´）、（Ｋ４´）の合計面積Ｓ（Ｋ´）は、図１３（ａ）に示すような設計通りの精度で下側基板１とカラーフィルター基板２とが貼り合わされた場合のカラーフィルター１１が形成されていない領域（Ｋ１）、（Ｋ２）、（Ｋ３）、（Ｋ４）の合計面積Ｓ（Ｋ）と比べて、
Ｓ（Ｋ´）＝（Ｋ１´）＋（Ｋ２´）＋（Ｋ３´）＋（Ｋ４´）
Ｓ（Ｋ）＝（Ｋ１）＋（Ｋ２）＋（Ｋ３）＋（Ｋ４）
Ｓ（Ｋ´）＝Ｓ（Ｋ）
となり、液晶表示装置の色度や明るさの変化は起こらない。
【０１０４】
このように、本実施の形態８では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【０１０５】
（実施の形態９）
次に、本発明の本実施の形態９における液晶表示装置について同様に図面を用いて説明する。図１４（ａ）（ｂ）は、本実施の形態９における液晶表示装置の画素電極部分を示した拡大平面図である。
【０１０６】
本実施の形態９では、図１４（ａ）に示すように、カラーフィルター基板２上の画素電極３に対応する領域に、色純度の高い透過型液晶表示装置用のカラーフィルターを形成するとともに、カラーフィルターを形成しない領域（Ｌ）を設けている。そして、このカラーフィルターが形成されていない領域（Ｌ）により白を表示させ、色純度の高いカラーフィルターと混色することにより、反射型の液晶表示装置における反射領域に必要な明るい表示を実現することが可能となっている。
【０１０７】
このような図１４（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【０１０８】
これに対して、図１４（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【０１０９】
ここで、本実施の形態９における液晶表示装置の製造工程においては、下側基板１とカラーフィルター基板２とを貼り合わせる際に、図１４（ｂ）に示すように、下側基板１に対して矢印方向にカラーフィルター基板２がずれて貼り合わされても、カラーフィルター１１が形成されていない領域Ｓ（Ｌ´）の面積は、図１４（ａ）に示すような設計通りの精度で下側基板１とカラーフィルター基板２とが貼り合わされた場合のカラーフィルター１１が形成されていない領域Ｓ（Ｌ）の面積と比べて、
Ｓ（Ｌ´）＝Ｓ（Ｌ）
となり、液晶表示装置の色度や明るさの変化は起こらない。
【０１１０】
このように、本実施の形態９では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【０１１１】
（実施の形態１０）
次に、本発明の本実施の形態１０における液晶表示装置について同様に図面を用いて説明する。図１５（ａ）（ｂ）は、本実施の形態１０における液晶表示装置の画素電極部分を示した拡大平面図である。
【０１１２】
本実施の形態１０では、図１５（ａ）に示すように、カラーフィルター基板２上の画素電極３に対応する領域に、色純度の高い透過型液晶表示装置用のカラーフィルターを形成するとともに、カラーフィルターを形成しない領域（Ｍ）を設けている。そして、このカラーフィルターが形成されていない領域（Ｍ）により白を表示させ、色純度の高いカラーフィルターと混色することにより、反射型の液晶表示装置における反射領域に必要な明るい表示を実現することが可能となっている。
【０１１３】
このような図１５（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【０１１４】
これに対して、図１５（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【０１１５】
ここで、本実施の形態１０における液晶表示装置の製造工程においては、下側基板１とカラーフィルター基板２とを貼り合わせる際に、図１５（ｂ）に示すように、下側基板１に対して矢印方向にカラーフィルター基板２がずれて貼り合わされても、カラーフィルター１１が形成されていない領域Ｓ（Ｍ´）の面積は、図１５（ａ）に示すような設計通りの精度で下側基板１とカラーフィルター基板２とが貼り合わされた場合のカラーフィルター１１が形成されていない領域Ｓ（Ｍ）の面積と比べて、
Ｓ（Ｍ´）＝Ｓ（Ｍ）
となり、液晶表示装置の色度や明るさの変化は起こらない。
【０１１６】
このように、本実施の形態１０では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【０１１７】
次に、図１４（ａ）、図１５（ａ）を例に挙げて、カラーフィルターエッジ部における仕上がりのばらつきによる光学特性への影響について簡単に説明する。
【０１１８】
まず、図１４（ａ）の画素電極３に対応するカラーフィルター１１が形成されていない領域Ｌは、一辺がｘとｙとの四角形であり、図１５（ａ）の画素電極３に対応するカラーフィルタ１１が形成されていない領域Ｍは、半径がｒの円形であり、これら両方の面積は等しいとする。そして、図１４（ａ）、図１５（ａ）に示すように、色版作成の露光工程が原因で、上述した設定値よりもｄだけカラーフィルターエッジ部における仕上がりのばらつきが生じたとする。
【０１１９】
このとき、図１４（ａ）において生じる面積の差ΔＬは、
ΔＬ＝（ｘ＋２ｄ）（ｙ＋２ｄ）−ｘｙ＝２ｄ（ｘ＋ｙ）＋４ｄ2
となり、この値が最小となるのは、ｘ＝ｙのときであり、
ΔＬ＝４ｄｘ＋４ｄ2
となる。ここで、両方の面積は等しいので、
ｘｙ=ｘ2=πｒ2
ｘ＝（√π）ｒ
となり、ゆえに、
ΔＬ＝４（√π）ｒｄ＋４ｄ2
となる。また、図１５（ａ）で生じる面積の差ΔＭは、
ΔＭ＝π（ｒ＋ｄ）２−πｒ2＝２πｒｄ＋πｄ2
となり、ゆえに、
ΔＬ＞ΔＭ
となる。
【０１２０】
このように、領域Ｌと領域Ｍとの面積が等しいような場合には、図１５（ａ）に示すような円形パターンの方が周囲の長さ、すなわち上述した境界線が短いため、カラーフィルターのエッジ部における仕上がりのばらつきの影響を受け難くくすることが可能となっている。
【０１２１】
そして、このときにも、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
【０１２２】
（実施の形態１１）
次に、本発明の本実施の形態１１における液晶表示装置について同様に図面を用いて説明する。図１６（ａ）（ｂ）は、本実施の形態１１における液晶表示装置の画素電極部分を示した拡大平面図であり、図１６（ｃ）は、本実施の形態１１における液晶表示装置のカラーフィルター全体のパターンを示した平面図である。
【０１２３】
本実施の形態１１では、図１６（ａ）に示すように、カラーフィルター基板２上の画素電極３に対応する領域に、色純度の高い透過型液晶表示装置用のカラーフィルターを形成するとともに、カラーフィルターを形成しない領域（Ｎ１）、（Ｎ２）を設けている。そして、このカラーフィルターが形成されていない領域（Ｎ１）、（Ｎ２）により白を表示させ、色純度の高いカラーフィルターと混色することにより、反射型の液晶表示装置における反射領域に必要な明るい表示を実現することが可能となっている。
【０１２４】
なお、この本実施の形態１１における液晶表示装置では、図１６（ｃ）に示すように、図１６（ａ）に示したようなカラーフィルター１１をデルタ状にＲ、Ｇ、Ｂ、３色配列してカラー表示を行っている。
【０１２５】
このような図１６（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【０１２６】
これに対して、図１６（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【０１２７】
ここで、本実施の形態１１における液晶表示装置の製造工程においては、下側基板１とカラーフィルター基板２とを貼り合わせる際に、図１６（ｂ）に示すように、下側基板１に対して矢印方向にカラーフィルター基板２がずれて貼り合わされても、カラーフィルター１１が形成されていない領域（Ｎ１´）、（Ｎ２´）の合計面積Ｓ（Ｎ´）は、図１６（ａ）に示すような設計通りの精度で下側基板１とカラーフィルター基板２とが貼り合わされた場合のカラーフィルター１１が形成されていない領域（Ｎ１）、（Ｎ２）の合計面積Ｓ（Ｎ）と比べて、
Ｓ（Ｎ´）＝（Ｎ１´）＋（Ｎ２´）
Ｓ（Ｎ）＝（Ｎ１）＋（Ｎ２）
Ｓ（Ｎ´）＝Ｓ（Ｎ）
となり、液晶表示装置の色度や明るさの変化は起こらない。
【０１２８】
このように、本実施の形態１１では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【０１２９】
（実施の形態１２）
次に、本発明の本実施の形態１２における液晶表示装置について同様に図面を用いて説明する。図１７（ａ）（ｂ）は、本実施の形態１２における液晶表示装置の画素電極部分を示した拡大平面図である。
【０１３０】
本実施の形態１２では、図１７（ａ）に示すように、カラーフィルター基板２上の画素電極３に対応する領域に、色純度の高い透過型液晶表示装置用のカラーフィルターを形成するとともに、カラーフィルターを形成しない領域（Ｏ）を設けている。そして、このカラーフィルターが形成されていない領域（Ｏ）により白を表示させ、色純度の高いカラーフィルターと混色することにより、反射型の液晶表示装置における反射領域に必要な明るい表示を実現することが可能となっている。
【０１３１】
このような図１７（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【０１３２】
これに対して、図１７（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【０１３３】
ここで、本実施の形態１２における液晶表示装置の製造工程においては、下側基板１とカラーフィルター基板２とを貼り合わせる際に、図１７（ｂ）に示すように、下側基板１に対して矢印方向にカラーフィルター基板２がずれて貼り合わされても、カラーフィルター１１が形成されていない領域Ｓ（Ｏ´）の面積は、図１７（ａ）に示すような設計通りの精度で下側基板１とカラーフィルター基板２とが貼り合わされた場合のカラーフィルター１１が形成されていない領域Ｓ（Ｏ）の面積と比べて、
Ｓ（Ｏ´）＝Ｓ（Ｏ）
となり、液晶表示装置の色度や明るさの変化は起こらない。
【０１３４】
このように、本実施の形態１２では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【０１３５】
ただし、このような場合、横方向の貼り合わせ精度内の範囲には、円周パターンを配置せず、図１６（ａ）に示すような長方形のパターンを設定しておく必要がある。
【０１３６】
（実施の形態１３）
次に、本発明の本実施の形態１３における液晶表示装置について同様に図面を用いて説明する。図１８（ａ）〜（ｄ）は、本実施の形態１３における液晶表示装置の画素電極部分を示した拡大平面図である。
【０１３７】
本実施の形態１３では、図１８（ａ）に示すように、カラーフィルター基板２上の画素電極３に対応する領域に、色純度の高い透過型液晶表示装置用のカラーフィルターを形成するとともに、カラーフィルターを形成しない領域（Ｐ１）、（Ｐ２）を設けている。そして、このカラーフィルターが形成されていない領域（Ｐ１）、（Ｐ２）により白を表示させ、色純度の高いカラーフィルターと混色することにより、反射型の液晶表示装置における反射領域に必要な明るい表示を実現することが可能となっている。
【０１３８】
このような図１８（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【０１３９】
これに対して、図１８（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【０１４０】
ここで、本実施の形態１３における液晶表示装置の製造工程においては、下側基板１とカラーフィルター基板２とを貼り合わせる際に、図１８（ｂ）に示すように、下側基板１に対して矢印方向にカラーフィルター基板２がずれて貼り合わされても、カラーフィルター１１が形成されていない領域（Ｐ１´）、（Ｐ２´）の合計面積Ｓ（Ｐ´）は、図１８（ａ）に示すような設計通りの精度で下側基板１とカラーフィルター基板２とが貼り合わされた場合のカラーフィルター１１が形成されていない領域（Ｐ１）、（Ｐ２）の合計面積Ｓ（Ｐ）と比べて、
Ｓ（Ｐ´）＝（Ｐ１´）＋（Ｐ２´）
Ｓ（Ｐ）＝（Ｐ１）＋（Ｐ２）
Ｓ（Ｐ´）＝Ｓ（Ｐ）
となり、液晶表示装置の色度や明るさの変化は起こらない。
【０１４１】
このように、本実施の形態１３では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【０１４２】
次に、図１８（ｃ）、図１８（ｄ）を例に挙げて、カラーフィルターエッジ部における仕上がりのばらつきによる光学特性への影響について簡単に説明する。
【０１４３】
まず、図１８（ａ）の画素電極３に対応するカラーフィルター１１が形成されていない領域（Ｐ１＋Ｐ２）は、縦がｘ、横がｙ（画素の短辺に相当）の四角形２個分の面積であり、図１５（ａ）の画素電極３に対応するカラーフィルターが形成されていない領域（Ｐ１＋Ｐ２）は、縦がｘ´（画素の長辺に相当）、横がｙ´の四角形２個分の面積である。このとき、色版作成の露光工程が原因で、上述した設定値よりｄだけＣＦエッジの仕上がりのばらつきが生じたとする。
【０１４４】
このとき、図１８（ｃ）で生じる面積の差ΔＰは、
ΔＰ＝２（ｘ＋ｄ）ｙ−２ｘｙ＝２ｄｙ
であり、図１８（ｄ）で生じる面積の差ΔＰは、
ΔＣ＝２ｘ´（ｙ´＋ｄ）−２ｘ´ｙ＝２ｄｘ´
ｙ＜ｘ´
となり、ゆえに、
ΔＣ＞ΔＰとなる。
【０１４５】
このように、画素電極が長方形の場合、画素電極の短軸全体を一辺とするようにして反射部に対応する領域にカラーフィルタ１１が形成されていない領域を形成した方が、カラーフィルターのエッジ部における仕上がりのばらつきの影響を受け難くくすることが可能となっている。
【０１４６】
そして、このときにも、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
【０１４７】
（実施の形態１４）
次に、本発明の本実施の形態１４における液晶表示装置について同様に図面を用いて説明する。図１９（ａ）〜（ｃ）は、本実施の形態１４における液晶表示装置の画素電極部分を示した拡大平面図であり、図１９（ｄ）は、本実施の形態１４における液晶表示装置のカラーフィルター全体のパターンを示した平面図である。
【０１４８】
本実施の形態１４では、図１９（ａ）に示すように、カラーフィルター基板２上の画素電極３に対応する領域に、色純度の高い透過型液晶表示装置用のカラーフィルターを形成するとともに、カラーフィルターを形成しない領域（Ｑ）を設けている。そして、このカラーフィルターが形成されていない領域（Ｑ）により白を表示させ、色純度の高いカラーフィルターと混色することにより、反射型の液晶表示装置における反射領域に必要な明るい表示を実現することが可能となっている。
【０１４９】
なお、この本実施の形態１４における液晶表示装置では、図１９（ｄ）に示すように、図１９（ａ）に示したようなカラーフィルター１１をデルタ状にＲ、Ｇ、Ｂ、３色配列してカラー表示を行っている。
【０１５０】
このような図１９（ａ）に示す構成は、設計通りの精度で下側基板１とカラーフィルター基板２とが貼り合わされた場合を示しており、このときの液晶表示装置のカラーフィルター基板２上のカラーフィルター１１とそれに対向する基板１上の画素電極３とを表したものである。
【０１５１】
これに対して、図１９（ｂ）は、下側基板１に対して矢印方向にカラーフィルター基板２がずれて貼り合わされた場合を示しており、このときの液晶表示装置のカラーフィルター基板２上のカラーフィルター１１とそれに対向する基板１上の画素電極３とを表したものである。
【０１５２】
ここで、本実施の形態１４における液晶表示装置の製造工程においては、下側基板１とカラーフィルター基板２とを貼り合わせる際に、図１９（ｂ）に示すように、下側基板１に対して矢印方向にカラーフィルター基板２がずれて貼り合わされても、カラーフィルター１１が形成されていない領域Ｓ（Ｑ´）面積は、図１９（ａ）に示すような設計通りの精度で下側基板１とカラーフィルター基板２とが貼り合わされた場合のカラーフィルター１１が形成されていない領域Ｓ（Ｑ）の面積と比べて、
Ｓ（Ｑ´）＝Ｓ（Ｑ）
となり、液晶表示装置の色度や明るさの変化は起こらない。
【０１５３】
このように、本実施の形態１４では、カラーフィルターが形成されていない領域を有するとともに、それらの面積が貼り合わせずれが発生しても、合計として変化しないようなパターン形状でカラーフィルターが形成されているため、色度や明るさの変化が発生しない液晶表示装置を実現することが可能となっている。
【０１５４】
次に、図１９（ｃ）を例に挙げて、カラーフィルターエッジ部における仕上がりのばらつきによる光学特性への影響について簡単に説明する。
【０１５５】
この図１９（ａ）は、上述した図１８（ａ）の着色部を上下に分割し、Ｐ１とＰ２をあわせて画素電極の中央部分に配置した構成となっている。したがって、図１８（ｄ）の着色部を上下に分割し、Ｃ１とＣ２をあわせて画素の中央に配置させた図９（ａ）と比較すると、カラーフィルターのエッジ部における仕上がりのばらつきの影響を受け難くくすることが可能となっている。
【０１５６】
そして、このときにも、少なくとも反射部に対応する領域における境界線上に、カラーフィルターエッジ部における仕上がりのばらつきよりも広い線幅のブラックマスクを形成することにより、開口率は多少犠牲になるものの、色純度やコントラストなどの表示特性のばらつきを低減させることができる。
【０１５７】
本発明における液晶表示装置は、上述した各実施の形態において説明したようなカラーフィルターのパターン形状に特徴を有するものであるが、本発明はこれら上述した各実施の形態において説明したカラーフィルターのパターン形状だけに限定されるものではなく、液晶表示装置の画素電極領域とカラーフィルター形成領域との貼り合わせずれが発生した際も、カラーフィルターが形成されていない領域の面積が一定となるようなパターン形状を有するカラーフィルターであればよい。
【０１５８】
【発明の効果】
本発明によれば、画素領域とカラーフィルター形成領域との貼り合わせずれが発生した際も、カラーフィルターが形成されていない領域の面積が一定となることにより、カラーフィルター作成時における色版ずれやパネル作成時における基板の貼り合わせずれが発生した際でも、液晶表示装置の明るさや色調などの光学特性のばらつきを最小限にすることが可能となっている。
【図面の簡単な説明】
【図１】図１（ａ）は、本発明の比較例１における反射型液晶表示装置の画素電極部分を示した拡大平面図であり、図１（ｂ）は、図１（ａ）におけるＡ−Ａ´線の断面を示した拡大断面図である。
【図２】図２（ａ）は、従来の反射型液晶表示装置の画素電極部分を示した拡大平面図であり、図２（ｂ）は、図２（ａ）におけるＡ−Ａ´線の断面を示した拡大断面図である。
【図３】図３は、本発明の比較例１における透過反射両用型液晶表示装置の画素電極部分を示した拡大平面図である。
【図４】図４（ａ）（ｂ）は、本発明の比較例１における反射型液晶表示装置の画素電極部分を示した拡大平面図である。
【図５】図５（ａ）〜（ｄ）は、本実施の形態１における液晶表示装置の画素電極部分を示した拡大平面図である。
【図６】図６（ａ）（ｂ）は、本発明の比較例２における透過反射両用型液晶表示装置の画素電極部分を示した拡大平面図である。
【図７】図７（ａ）（ｂ）は、本実施の形態２における液晶表示装置の画素電極部分を示した拡大平面図である。
【図８】図８（ａ）（ｂ）は、本実施の形態３における液晶表示装置の画素電極部分を示した拡大平面図である。
【図９】図９（ａ）（ｂ）は、本実施の形態４における液晶表示装置の画素電極部分を示した拡大平面図である。
【図１０】図１０（ａ）（ｂ）は、本実施の形態５における液晶表示装置の画素電極部分を示した拡大平面図であり、図１０（ｃ）は、本実施の形態５における液晶表示装置のカラーフィルター全体のパターンを示した平面図である。
【図１１】図１１（ａ）（ｂ）は、本実施の形態６における液晶表示装置の画素電極部分を示した拡大平面図である。
【図１２】図１２（ａ）（ｂ）は、本実施の形態７における液晶表示装置の画素電極部分を示した拡大平面図である。
【図１３】図１３（ａ）（ｂ）は、本実施の形態８における液晶表示装置の画素電極部分を示した拡大平面図である。
【図１４】図１４（ａ）（ｂ）は、本実施の形態９における液晶表示装置の画素電極部分を示した拡大平面図である。
【図１５】図１５（ａ）（ｂ）は、本実施の形態１０における液晶表示装置の画素電極部分を示した拡大平面図である。
【図１６】図１６（ａ）（ｂ）は、本実施の形態１１における液晶表示装置の画素電極部分を示した拡大平面図であり、図１６（ｃ）は、本実施の形態１１における液晶表示装置のカラーフィルター全体のパターンを示した平面図である。
【図１７】図１７（ａ）（ｂ）は、本実施の形態１２における液晶表示装置の画素電極部分を示した拡大平面図である。
【図１８】図１８（ａ）〜（ｄ）は、本実施の形態１３における液晶表示装置の画素電極部分を示した拡大平面図である。
【図１９】図１９（ａ）〜（ｃ）は、本実施の形態１４における液晶表示装置の画素電極部分を示した拡大平面図であり、図１９（ｄ）は、本実施の形態１４における液晶表示装置のカラーフィルター全体のパターンを示した平面図である。
【符号の説明】
１      下側基板
２      カラーフィルター基板
３      画素電極（反射領域）
４      透明電極
５      液晶層
８      画素電極（透過領域）
１１      カラーフィルター
【図１】
0003971681.tif 000002
【図２】
0003971681.tif 000003
【図３】
0003971681.tif 000004
【図４】
0003971681.tif 000005
【図５】
0003971681.tif 000006
【図６】
0003971681.tif 000007
【図７】
0003971681.tif 000008
【図８】
0003971681.tif 000009
【図９】
0003971681.tif 000010
【図１０】
0003971681.tif 000011
【図１１】
0003971681.tif 000012
【図１２】
0003971681.tif 000013
【図１３】
0003971681.tif 000014
【図１４】
0003971681.tif 000015
【図１５】
0003971681.tif 000016
【図１６】
0003971681.tif 000017
【図１７】
0003971681.tif 000018
【図１８】
0003971681.tif 000019
【図１９】
0003971681.tif 000020